(57)【要約】【課題】  いままでにも増して使い易いヒューマンマシンインターフェースを持つ撮影装置を提供する。【解決手段】  操作子を操作せずとも、このデジタルカメラが垂直方向（Ｖ方向）に振られたら、ＬＣＤ１６０の表示パネル１６１上に表示されている複数の撮影条件の中のフラッシュが備えるモードがオート（点線カーソル）から強制Ｏｎ（実線カーソル）に切り替わり、その後、水平方向（Ｈ方向）に振られたら、撮影条件が今度はフォーカス（２点鎖線カーソル）に切り替わる。ここでこの撮影装置がさらにＨ方向に振られたら撮影条件がフォーカスからＷＢへ切り替わり、ここでこの撮影装置がＶ方向に振られたら各撮影条件が持つモードがマクロからマクロｏｆｆへ切り替わる。同様にこの撮影装置が振られていくと各撮影条件の各モードが各設定される。【選択図】  図３
2006173771.tif 000002
【特許請求の範囲】
【請求項１】
撮影光学系で撮像素子に被写体を結像させて画像信号を生成する撮影装置において、
この撮影装置の振動を検出するセンサと、
複数の撮影条件それぞれについてモードを設定するモード設定部とを備え、
前記モード設定部は、前記センサにより検出された振動に応じて、前記複数の撮影条件の中からモードを設定しようとする撮影条件、および該撮影条件の中のモードを切り替えるものであることを特徴とする撮影装置。
【請求項２】
前記センサが、手ぶれ検出用のセンサであって、
この撮影装置が、前記センサにより手ぶれを検出して該手ぶれを補正する手ぶれ補正部を備えたものであることを特徴とする請求項１記載の撮影装置。
【請求項３】
前記センサが、少なくとも2方向の振動を、各方向ごとに検出するセンサであって、
前記モード設定部は、前記センサで所定の第１の方向の振動が検出された場合に、モード設定しようとする撮影条件を切り替え、前記センサで該第1の方向とは異なる第２の方向の振動が検出された場合に、現在切り替えられている撮影条件の中のモードを切り替えるものであることを特徴とする請求項１記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
デジタルカメラの高機能化が進み、手ぶれ検出センサが搭載されたデジタルカメラ（例えば特許文献１参照）やいろいろな撮影が簡単に行なえるよう、複数のモードをそれぞれ有する複数の撮影条件が予め設定されたデジタルカメラが登場してきている。この複数の撮影条件が予め設定されたデジタルカメラでは、いろいろな撮影が行なえる半面、撮影前に設定される撮影条件およびその撮影条件が有するモードのうちのいずれかを選択する操作が非常に煩雑になってきている。このような操作の煩雑さを少しでも和らげようと使い易いヒューマンマシンインターフェースとして例えばタッチパネルを用いてデジタルカメラの画面上に触れることをもって操作とする技術等が多数提案されている（例えば特許文献２参照）。
【０００３】
しかし、高機能化が進んで設定するモード数が多くなったため、タッチパネルを用いた操作で設定を行なうように改良したとしても、どうしても操作が煩雑になってしまうという問題がある。
【特許文献１】特開２００４−７２５５０号公報
【特許文献２】特開２００４−４８５２６号公報
【発明の開示】
【発明が解決しようとする課題】
【０００４】
本発明は、上記事情に鑑み、いままでにも増して使い易いヒューマンマシンインターフェースを持つ撮影装置を提供することを目的とする。
【課題を解決するための手段】
【０００５】
上記目的を達成する本発明の撮影装置は、撮影光学系で撮像素子に被写体を結像させて画像信号を生成する撮影装置において、
この撮影装置の振動を検出するセンサと、
複数の撮影条件それぞれについてモードを設定するモード設定部とを備え、
上記モード設定部は、上記センサにより検出された振動に応じて、上記複数の撮影条件の中からモードを設定しようとする撮影条件、およびその撮影条件の中のモードを切り替えるものであることを特徴とする。
【０００６】
上記本発明の撮影装置によれば、上記センサにより検出された振動に応じて撮影条件、およびその撮影条件の中のモードが切り替えられる。そうすると、わざわざ操作子を操作してモードを切り替える必要がなくなり、撮影装置を振るだけでモードが自動的に切り替えられ、優れたヒューマンマシンインターフェースを持つ撮影装置が実現される。
【０００７】
また、このような撮影装置は表示装置を持つものが多く、その撮影装置が備える表示装置の表示画面上に複数の撮影条件の中からモードを設定しようとする撮影条件、および撮影条件の中のモードを多数表示するようにすると、設定しようとするモードを見ながら、撮影装置を振るという簡単な操作でモードの設定が行なえるようになる。こうすると、視覚的効果を利用して撮影装置を振るという簡単な操作でモードの設定が行え、より優れたヒューマンマシンインターフェースを持つ撮影装置が実現される。
【０００８】
ここで、上記センサが、手ぶれ検出用のセンサであって、
この撮影装置が、上記センサにより手ぶれを検出してその手ぶれを補正する手ぶれ補正部を備えたものであっても良く、
また、上記センサが、少なくとも2方向の振動を、各方向ごとに検出するセンサであって、
上記モード設定部は、上記センサで所定の第１の方向の振動が検出された場合に、モード設定しようとする撮影条件を切り替え、上記センサで該第1の方向とは異なる第２の方向の信号が検出された場合に、現在切り替えられている撮影条件の中のモードを切り替えるものであっても良い。
【０００９】
上記少なくとも２方向の振動を各方向ごとに検出するセンサとしてジャイロセンサのようなものを用いても、角加速度センサのようなものを用いても良い。
【発明の効果】
【００１０】
以上、説明したように、いままでにも増して使い易いヒューマンマシンインターフェースを持つ撮影装置が実現される。
【発明を実施するための最良の形態】
【００１１】
以下、本発明の実施の形態について説明する。
【００１２】
図１は、本発明の撮影装置の一実施形態であるデジタルカメラを示す図である。
【００１３】
図１に本発明の一実施形態であるデジタルカメラの構成斜視図である。
【００１４】
図１（ａ）にはカメラボディ前面の外観が示されており、図１（ｂ）にはカメラボディ背面の外観が示されている。
【００１５】
図１（ａ）に示すデジタルカメラ１００のボディ中央にはレンズ鏡胴１７０が配備されている。そのレンズ鏡胴１７０に撮影光学系が内蔵されており、その撮影光学系を通してデジタルカメラ１００内部に配備されているＣＣＤ固体撮像素子（以降ＣＣＤという）まで被写体の像が導かれるようになっている。また、レンズ鏡胴１７０上方にはファインダ１０５や窓枠にプロテクタ１６０が嵌め込まれている閃光発光窓が配備されている。
【００１６】
本実施形態のデジタルカメラ１００が有する、カメラボディ上面にあるレリーズ釦１０２は、半押しと全押しの２つの操作態様を有しているので、半押し時に上記ＴＴＬ測距を行なって合焦位置を検出してフォーカスレンズを合焦位置に配置し、ＴＴＬ測光を行なって絞りの開口径を調節した後、全押し操作に応じてＣＣＤに露光を行なわせるようにしている。
【００１７】
また、本実施形態のデジタルカメラ１００には、図１（ｂ）に示すようにファインダ代わりに用いられる表示パネルが配備されており、その表示パネル上にはその表示パネルの隣にあるスイッチ群１０１の中のメニュー釦の操作に応じてメニュー画面も表示されるようになっている。そのスイッチ群１０１には、そのメニュー画面内の選択項目のうちのいずれかを選択するための十字キーやキャンセルキーや決定キーなども配備されている。このメニュー画面には、複数の撮影条件、さらにその複数の撮影条件それぞれについてのモードなどが多数表示される。
【００１８】
また、このデジタルカメラの内部には、手ぶれ検出センサが配備されており、その手ぶれ検出センサによって、本実施形態のデジタルカメラでは、撮影時の手ぶれが検出されることに加えて、撮影前に上記メニュー画面が表示パネル上に表示されている状態にあるときにはこの撮影装置が意図的に振られその手ぶれ検出センサにより検出された振動に応じて、上記メニュー画面上の複数の撮影条件の中からモードを設定しようとする撮影条件、およびその撮影条件の中のモードを切り替えて設定することができるようになっている。詳細は後述する。
【００１９】
なお、本実施形態のデジタルカメラ１００には、フラッシュ調光センサに光を導くための窓１４１やＡＦ補助光を被写体に向けて照射するためのＡＦ補助光用窓１８０が設けられている。
【００２０】
図２は、図１のデジタルカメラ１００の内部に配備された信号処理部の構成を示す図である。
【００２１】
図２を参照してデジタルカメラ１００内にある信号処理部の構成を説明する。
【００２２】
本実施形態のデジタルカメラ１００ではすべての処理が映像処理部１１０内のＣＰＵ１１０１によって統括的に制御されていて、このメインＣＰＵ１１０１の入力部には図２（ｂ）に示した操作部の各種スイッチ群１０１からの操作信号や手ぶれ検出センサを含む手ぶれ検出部１４２からの手ぶれ検出信号がそれぞれ供給されている。本実施形態のデジタルカメラが備える手ぶれ検出センサは、2方向の振動（図１に示すＨ方向、Ｖ方向）を、各方向ごとに検出することができるものであって、ＣＰＵ１１０１は、その手ぶれ検出センサで所定の第１の方向（Ｈ方向）の振動が検出された場合に、後述する図３に示すメニュー画面上に表示されている撮影条件のうち、モード設定しようとする撮影条件を切り替え、さらにその手ぶれ検出センサでその第１の方向とは異なる第２の方向（Ｖ方向）の信号が検出された場合に、現在切り替えられている撮影条件の中のモードを切り替えていくものである。
【００２３】
また、ＣＰＵ１１０１の出力部には、ＣＣＤ制御部１２０やフォーカシング制御部１３０や手ぶれ補正制御部１４０やフラッシュ制御部１５０などが接続されており、前述の入力信号に応じてそのＣＰＵ１１０１の出力部から制御信号が適宜出力されＣＣＤ制御部１２０、フォーカシング制御部１３０、手ぶれ補正制御部１４０、フラッシュ制御部１５０の動作が各々独立に制御される。また、同じくＣＰＵ１１０１の出力部には、撮影前に表示パネル１６１上に複数の撮影条件についてそれぞれ設定しようとするモードを多数表示するとともに、手ぶれ検出センサにより検出された振れ方向に応じて、撮影条件の切り替え、およびその撮影条件が有するモードの切り替えなどを行なうためのカーソル表示を行なう液晶ディスプレイ装置（以降ＬＣＤという）１６０も接続されており、このＬＣＤ１６０にもＣＰＵ１１０１の出力部から適宜信号が出力されＬＣＤ１６０の動作がＣＰＵ１１０１により制御される構成になっている。
【００２４】
なお、図２には、映像処理部１１０内にＣＰＵ１１０１が組み込まれているもの（例えばＡＳＩＣなどのような特定用途に用いられるＩＣ）の構成が示されており、映像処理部１１０とＣＰＵ１１０１とが協同して動作することが示されている。
【００２５】
その映像処理部１１０内のＣＰＵ１１０１は、プログラムメモリであるＦＬＡＳＨＲＯＭ１９１を有しており、このＦＬＡＳＨＲＯＭ１９１の中にはデジタルカメラ１００として動作するために必要なプログラムが書き込まれている。このような構成を持つデジタルカメラ１００の電源スイッチが投入されると、ＦＬＡＳＨＲＯＭ１９１内のプログラムの手順にしたがってＣＰＵ１１０１によりこのデジタルカメラ１００全体の動作が制御される。このプログラム内にメニュー表示に関する手順が示されたプログラムが記述されている。上記ＣＰＵ１１０１と上記ＬＣＤ１６０とＦＬＡＳＨメモリ１９１と上記手ぶれ検出センサを含む手ぶれ検出部１４２とが本発明にいうモード設定部にあたる。
【００２６】
また、そのＦＬＡＳＨメモリ１９１のほか、本実施形態のＣＣＤ１８０が高画素数であって映像処理部１１０内のフレームメモリだけでは処理し切れない事態が発生する恐れがあるので、画像信号を一旦すべて記憶しておくためのＳＤＲＡＭ１９２も配備されている。
【００２７】
ここで、図２を離れて、撮影条件それぞれについてモードを設定しようとする場合にＬＣＤの表示パネル上にどのような設定項目がモード設定部により表示されてどのようにして設定が行われていくかを、図３、図４を参照して説明する。
【００２８】
図３は、ＬＣＤ１６０の表示パネル１６１上に表示されるメニュー画面を示す図である。また、図４は、図３に示す撮影条件の中の（一点）の次の撮影条件になるＡＥモードを示す図である。この例では、図３のメニュー画面のうちの(１点)までが指定されると、画面が左側にスクロールされてフラッシュ、フォーカスなどが消えて図４の画面が表示されるようになっている。
【００２９】
図３、図４にはＬＣＤ１６０の表示パネル１６１上に表示される、複数の撮影条件およびそれらの複数の撮影条件それぞれが有する複数種類のモードそれぞれが階層的に示されている。
【００３０】
この例では撮影条件であるフラッシュの設定を行なうにあたって、オートモード、強制Ｏｎモード、ｏｆｆモードの３種類のモードの中から一つを選択するようになっている。例えばＬＣＤ１６０の表示パネル１６１上に表示されているカーソルがフラッシュのモードの一つであるオート上（点線で示してある）にあったときに、このデジタルカメラ１００が１回Ｖ方向に振られるとオートから強制Ｏｎモードに切り替えられる。図３にはオート上にあったカーソル（点線）強制Ｏｎ上（実線のカーソル）に動いたことが示されている。
【００３１】
さらに他の撮影条件のモードの設定しようとして、この状態にあるときにこのデジタルカメラ１００がＨ方向に振られると、フラッシュのモードとして強制Ｏｎモードが設定された状態で撮影条件がフォーカス側に切り替えられる。以降同様に、このデジタルカメラがＨ方向に振られると、複数の撮影条件のうち、ＷＢ、ＩＳＯ感度、ＡＦ、一点（ワイドエリアの測距領域の位置）、さらに図４のＡＥというように各撮影条件が順次切り替えられ、いずれかの撮影条件のところでこのデジタルカメラ１００がＶ方向に振られると、それぞれの撮影条件についてモードが順次切り替えられ設定されていく。
【００３２】
このようにして、撮影条件が設定されてからこのデジタルカメラで撮影が行なわれる。
【００３３】
ここで図２に戻って撮影前にＬＣＤ１６０の表示パネル１６１上のメニュー画面により設定された撮影条件に基づいて撮影が行なわれた時の画像信号の流れを、図２を参照して説明する。
【００３４】
スイッチ群１０１の中の電源スイッチが投入されたら、電源（図示せず）からＣＣＤ１８０などに電力が供給される。電源１３０が投入されたときにスイッチ群１０１の中のモードレバーが撮影側に切り替えられていた場合には、ＣＣＤ１８０に結像された被写体像が画像信号として所定の間隔ごとに間引かれて後段側へ出力され、その出力された画像信号に基づく被写体像がＬＣＤ１６０の表示パネル１６１（図１参照）上に表示される。このＣＣＤ１８０にはＣＣＤ制御部１２０からタイミング信号が供給されており、このタイミング信号によって所定の間隔ごとに、画像信号が間引かれて出力される。このＣＣＤ制御部１２０はＣＰＵ１１０からの指示に基づいてタイミング信号をＣＣＤ１８０に向けて出力しており、そのタイミング信号に応じてＣＣＤでは露光が行なわれたり、画像信号の出力が行なわれたりする。
【００３５】
このようにしてＣＣＤ１８０から出力されたアナログの画像信号が後段のアナログ信号処理部１８１へと出力される。このアナログ信号処理部１８１で雑音の低減処理等が行なわれた後、雑音の低減処理等が行なわれたアナログの画像信号がＡ／Ｄ変換器１８２でデジタルの画像信号に変換される。このデジタルの画像信号が映像処理部１１０へ供給され、この映像処理部１１０で映像処理が行なわれる。
【００３６】
この映像処理の中には例えばアナログの映像信号であるＲＧＢ信号をＹＣ信号に変換する処理、またホワイトバランス（ＷＢ）処理、画像信号の圧縮処理、さらにはＡＦ（Ａｕｔｏ  Ｆｏｃｕｓ）に関する処理やＡＥ（Ａｕｔｏ  Ｅｘｐｏｓｕｒｅ）に関する処理等が含まれている。この映像処理部が備える各部にメニュー画面により設定された各モードを表わすパラメータが設定されて映像処理が行なわれる。なお、メニュー画面の中のＩＳＯ感度にあっては、そのＩＳＯ感度に応じて映像処理部１１０内で画素混合が行なわれてＩＳＯ感度が調整されるようになっている。
【００３７】
ここではレリーズ釦１０２がまだ押されていないので、映像処理部１１０で変換処理されたＹＣ信号がＬＣＤ１６０に所定の間隔ごとに供給され、この所定の間隔ごとに供給されてくるＹＣ信号に基づいてＬＣＤ１６０の表示パネル１６１（図１参照）上に被写体像の画像表示が行なわれる。前述したＣＣＤ制御部１１２１から出力されるタイミング信号に同期してＣＣＤ１１２、アナログ信号処理部、Ａ／Ｄ変換部１１３、映像処理部が動作して、所定の間隔ごとにＣＣＤ１１２で生成された画像信号が次々と処理されている訳であるから、このＬＣＤのパネル上には撮影レンズが向けられた方向の被写体が被写体像として絶えず表示される。この表示されている被写体像を視認しながら、シャッタチャンスにレリーズ釦１０２が押されたら、半押し時に映像処理部１１０内のＡＦ部によって被写体距離の測定が行なわれる。ＣＰＵ１１０１はＡＦ部の測定結果をフォーカシング制御部１３０に伝えて、フォーカシング制御部１３０にフォーカスレンズの位置制御を行なわせる。ここではフォーカシング制御部１３０からの指示をドライバ１３１に伝えてドライバ１３１にフォーカスレンズ１７０１を駆動させている。また、映像処理部１１０内には、ＡＥ部も配備されており、そのＡＥ部で被写界輝度が測光されて被写界が暗いと判定され、さらに例えばメニュー画面によりオートが設定されていたら、フラッシュ制御部１５０に測光結果を伝えて、全押し時にフラッシュ制御部にフラッシュの発光を行なわせている。ここでは、フラッシュ制御部１５０からフラッシュ部１５１内にあるＩＧＢＴのベースに閃光開始信号が供給されキセノン管が発光することによってフラッシュが被写体に向けて照射される。ただし、メニュー画面の中でオートモードが設定されていた場合には被写界輝度が明るいと判定された場合にはフラッシュの発光が行なわれないが、強制Ｏｎモードであったら測光結果に拠らすどのような被写界輝度であってもフラッシュの発光が行なわれる。
【００３８】
また、レリーズ釦１０２の全押しタイミングを起点としてＣＣＤ制御部１２０からＣＣＤ１８０に向けて露光開始信号を供給させ、さらに所定の時間を経た後、露光終了信号をＣＣＤ制御部１２０に供給させ、ＣＣＤ１８０に結像された画像信号すべてを後段のアナログ信号処理部１８１へと出力させる。このアナログ信号処理部１８１で信号処理された画像信号がＡ／Ｄ変換部１８２、さらには映像処理部１１０へと供給される。その映像処理部１１０内でＹＣ信号への変換処理や圧縮処理等が行なわれた後、記録メディアであるメモリカード（図示せず）に画像信号が記録される。また、このスイッチ群１０１の中の撮影モード／再生モード切替スイッチ（図示せず）が再生モードに切り替えられたら、メモリカードから画像信号が読み出され映像処理部１１０内で伸張処理が行なわれた後、伸張された画像信号に基づく被写体像がＬＣＤ１６０の表示パネル上に表示される。
【００３９】
なお、撮影条件の切替あるいは撮影条件中のモード切替を表示パネルによる表示に代えて音声案内で行なっても良い。
【００４０】
以上説明したように、視覚的効果を利用して撮影装置を振るという簡単な操作でモードの設定が行える、優れたヒューマンマシンインターフェースを持つ撮影装置が実現される。
【図面の簡単な説明】
【００４１】
【図１】本発明の撮影装置の実施形態であるデジタルカメラを示す図である。
【図２】図１のデジタルカメラ１００の内部に配備された信号処理部の構成ブロック図である。
【図３】ＬＣＤの表示パネル上に表示されるメニュー画面を示す図である。
【図４】図３に示す撮影条件の中の（一点）の次の撮影条件になるＡＥモードを示す図である。
【符号の説明】
【００４２】
１００    デジタルカメラ
１０２      レリーズ釦
１０５      ファインダ
１１０      映像処理部
１１０１    ＣＰＵ
１２０    ＣＣＤ制御部
１３０      フォーカシング制御部
１３１    ドライバ
１４０      手ぶれ補正制御部
１４１    ドライバ
１５０    フラッシュ制御部
１５１    フラッシュ部
１６０    液晶ディスプレイ装置
１７０    レンズ鏡胴
１８０    ＣＣＤ
１８１    アナログ信号処理部
１８２    Ａ／Ｄ変換器
【図１】
2006173771.tif 000003
【図２】
2006173771.tif 000004
【図３】
2006173771.tif 000005
【図４】
2006173771.tif 000006